(57)【要約】      （修正有）【課題】印刷処理が開始されるまでの待機時間を削減することができる画像処理装置を提供する。【解決手段】ＭＦＰは、認証プリントデータを取得した場合、ユーザの接近を検知する検知可能範囲を「Ｎｅａｒ」よりも広い「Ｆａｒ」に変更する。【選択図】図５
2017071119.tif 000002
【特許請求の範囲】
【請求項１】
各種処理を実行する実行データを取得する取得手段と、前記取得された実行データに基づく処理を実行する処理実行手段とを備える画像処理装置であって、
ユーザの接近を検知する検知手段と、
前記検知手段による検知可能範囲である第１の検知範囲を設定する設定手段と、
前記検知手段が前記ユーザの接近を検知すると前記処理実行手段への電力の供給を開始する電力供給開始手段とを備え、
前記設定手段は、前記ユーザの実行の指示を必要とする実行データを取得した場合、前記設定された第１の検知範囲を、当該第１の検知範囲よりも広い第２の検知範囲に変更することを特徴とする画像処理装置。
【請求項２】
前記設定手段は、前記第１の検知範囲を前記第２の検知範囲に変更した後に、前記ユーザによる実行の指示が行われると、前記第２の検知範囲を前記第１の検知範囲に変更することを特徴とする請求項１記載の画像処理装置。
【請求項３】
前記第２の検知範囲の設定を維持する維持期間が設定され、
前記設定手段は、前記第１の検知範囲を前記第２の検知範囲に変更した後に、前記維持期間が経過すると、前記第２の検知範囲を前記第１の検知範囲に変更することを特徴とする請求項１又は２記載の画像処理装置。
【請求項４】
前記維持期間が経過するまでに、前記ユーザによる実行の指示を必要とする他の実行データを取得した場合、前記設定手段は、前記他の実行データを取得してから前記維持期間が経過するまで前記第２の検知範囲を前記第１の検知範囲に変更しないことを特徴とする請求項３記載の画像処理装置。
【請求項５】
前記ユーザによる実行の指示を必要とする実行データは、前記ユーザのユーザ認証を必要とする認証印刷データを含むことを特徴とする請求項１乃至４のいずれか１項に記載の画像処理装置。
【請求項６】
各種処理を実行する実行データを取得する取得手段と、前記取得された実行データに基づく処理を実行する処理実行手段とを備える画像処理装置の制御方法であって、
ユーザの接近を検知する検知ステップと、
前記検知ステップの検知可能範囲である第１の検知範囲を設定する設定ステップと、
前記検知ステップにおいて前記ユーザの接近を検知すると前記処理実行手段への電力の供給を開始する電力供給開始ステップとを備え、
前記設定ステップは、前記ユーザの実行の指示を必要とする実行データを取得した場合、前記設定された第１の検知範囲を、当該第１の検知範囲よりも広い第２の検知範囲に変更することを特徴とする画像処理装置の制御方法。
【請求項７】
各種処理を実行する実行データを取得する取得手段と、前記取得された実行データに基づく処理を実行する処理実行手段とを備える画像処理装置の制御方法をコンピュータに実行させるプログラムであって、
前記画像処理装置の制御方法は、
ユーザの接近を検知する検知ステップと、
前記検知ステップの検知可能範囲である第１の検知範囲を設定する設定ステップと、
前記検知ステップにおいて前記ユーザの接近を検知すると前記処理実行手段への電力の供給を開始する電力供給開始ステップとを備え、
前記設定ステップは、前記ユーザの実行の指示を必要とする実行データを取得した場合、前記設定された第１の検知範囲を、当該第１の検知範囲よりも広い第２の検知範囲に変更することを特徴とするプログラム。
【発明の詳細な説明】
【技術分野】
【０００１】
本発明は、画像処理装置及びその制御方法、並びにプログラムに関し、特に、認証プリントを行う画像処理装置及びその制御方法、並びにプログラムに関する。
【背景技術】
【０００２】
認証プリントを行うための印刷データ（以下、「認証プリントデータ」という。）を受信すると、直ぐに実行せず、当該認証プリントデータを一時的に格納する、いわゆる留め置き印刷を実行する画像処理装置としてのＭＦＰが知られている。認証プリントでは、許可されたユーザ（以下、「許可ユーザ」という。）による印刷処理の実行の指示に応じて認証プリントデータに基づく印刷処理が実行される。
【０００３】
ＭＦＰは、例えば、認証プリントデータに基づく印刷処理の実行の指示が一定の期間行われないと、ＭＦＰに設けられる構成要素のうち最小限の構成要素のみへ通電を行う省電力モードに移行する。ＭＦＰは省電力モードに移行すると、例えば、認証プリントデータに基づく印刷処理の実行の指示が行われるまで、印刷処理を実行する印刷部への通電を行わない（例えば、特許文献１参照）。また、ＭＦＰでは、電力の消費量を低減するために、認証プリントデータに基づく印刷処理の実行の指示が行われても、通電先が制限される場合もある。この場合、ＭＦＰは、通常モードに移行することなく、当該ＭＦＰに設けられる最小限の構成要素及び印刷部のみへ通電が行われる（例えば、特許文献２参照）。
【０００４】
ところで、ＭＦＰでは、省電力モードに移行した後に、認証プリントデータに基づく印刷処理の実行の指示が行われると、印刷部への通電を行う復帰処理を開始し、復帰処理が完了した後に印刷部によって認証プリントデータに基づく印刷処理が開始される。そのため、一旦、ＭＦＰが省電力モードに移行してしまうと、印刷処理が開始されるまでに復帰処理を行うための待機時間が必要となる。当該待機時間を削減するために、例えば、人感センサによってＭＦＰにユーザが近付いたことを検知すると、印刷処理の実行の指示がなされなくてもＭＦＰが復帰処理を開始する技術が提案されている（例えば、特許文献３参照）。この技術では、ＭＦＰを利用しない他のユーザが当該ＭＦＰの側を通るだけでも復帰処理が開始される虞があることから、不要な復帰処理を避けるために、人感センサの検知可能範囲が狭く設定される。
【先行技術文献】
【特許文献】
【０００５】
【特許文献１】特開２０１１−５６８１号公報
【特許文献２】特開２０１０−４１５０号公報
【特許文献３】特開２０１５−５０１号公報
【発明の概要】
【発明が解決しようとする課題】
【０００６】
しかしながら、ＭＦＰにおいて人感センサの検知可能範囲が狭く設定された場合、ＭＦＰに近づくユーザが許可ユーザであってもＭＦＰの直近まで近付かないと、人感センサの検知に起因する復帰処理が開始されない。その結果、復帰処理の開始が遅れ、印刷処理が開始されるまでの待機時間を削減することができない。
【０００７】
本発明の目的は、印刷処理が開始されるまでの待機時間を削減することができる画像処理装置及びその制御方法、並びにプログラムを提供することにある。
【課題を解決するための手段】
【０００８】
上記目的を達成するために、本発明の画像処理装置は、各種処理を実行する実行データを取得する取得手段と、前記取得された実行データに基づく処理を実行する処理実行手段とを備える画像処理装置であって、ユーザの接近を検知する検知手段と、前記検知手段による検知可能範囲である第１の検知範囲を設定する設定手段と、前記検知手段が前記ユーザの接近を検知すると前記処理実行手段への電力の供給を開始する電力供給開始手段とを備え、前記設定手段は、前記ユーザの実行の指示を必要とする実行データを取得した場合、前記設定された第１の検知範囲を、当該第１の検知範囲よりも広い第２の検知範囲に変更することを特徴とする。
【発明の効果】
【０００９】
本発明によれば、印刷処理が開始されるまでの待機時間を削減することができる。
【図面の簡単な説明】
【００１０】
【図１】本発明の実施の形態に係る画像処理装置としてのＭＦＰを含む通信システムの構成を概略的に示す構成図である。
【図２】図１におけるＭＦＰの構成を概略的に示すブロック図である。
【図３】図２の操作表示部に表示される人感センサの各種設定メニューの一例を示す図であり、図３（ａ）は感度設定メニューを示し、図３（ｂ）は維持期間設定メニューを示す。
【図４】図１におけるＭＦＰの各種電力モードを説明するための図である。
【図５】図１におけるＭＦＰで実行される検知可能範囲の変更処理の手順を示すフローチャートである。
【図６】図５におけるステップＳ５１２のユーザ検知処理の手順を示すフローチャートである。
【図７】図２の操作表示部に表示される各種設定メニューの一例を示す図であり、図７（ａ）は環境設定メニューを示し、図７（ｂ）は通電期間設定メニューを示す。
【図８】図２の操作表示部に表示される認証プリント実行メニューの一例を示す図である。
【図９】図６におけるステップＳ６１４の節電モード移行処理の手順を示すフローチャートである。
【図１０】プリンタ部への電力の供給を開始するタイミングを説明するための図であり、図１０（ａ）は従来のＭＦＰがプリンタ部への電力の供給を開始するタイミングを示し、図１０（ｂ）は本実施の形態におけるＭＦＰがプリンタ部への電力の供給を開始するタイミングを示す。
【発明を実施するための形態】
【００１１】
以下、本発明の実施の形態を図面を参照しながら詳述する。
【００１２】
本実施の形態では、認証プリントを実行可能な画像処理装置としてのＭＦＰに本発明を適用した場合について説明するが、本発明の適用先はＭＦＰに限られず、留め置き印刷を実行可能な画像処理装置であれば本発明を適用することができる。
【００１３】
図１は、本発明の実施の形態に係る画像処理装置としてのＭＦＰ１０１を含む通信システム１００の構成を概略的に示すブロック図である。
【００１４】
図１において、通信システム１００はＭＦＰ１０１及びクライアントＰＣ１０２を備え、ＭＦＰ１０１及びクライアントＰＣ１０２はネットワーク１０３を介して互いに接続されている。
【００１５】
ＭＦＰ１０１はスキャン処理や印刷処理等の各種処理を実行可能である。ＭＦＰ１０１は、ネットワーク１０３を介してクライアントＰＣ１０２から各種処理を実行する実行データを取得し、取得された実行データに基づく処理を行う。例えば、ＭＦＰ１０１は、クライアントＰＣ１０２から印刷処理を行う印刷データを取得し、取得された印刷データに基づく印刷処理を実行する。ＭＦＰ１０１は、印刷データを取得すると、当該取得された印刷データに基づく印刷処理を直ぐに実行する通常印刷と、印刷データを取得しても、直ぐに実行せずに、当該印刷データを一時的に格納する留め置き印刷とを実行可能である。留め置き印刷では、ＭＦＰ１０１は、許可ユーザによる印刷処理の実行の指示に応じて、格納された印刷データに基づく印刷処理を実行する。クライアントＰＣ１０２はＭＦＰ１０１に各種処理を実行するための実行データを送信する。本実施の形態では、クライアントＰＣ１０２は、通常印刷を行う通常印刷データや留め置き印刷を行う印刷データ、例えば、認証プリントデータ（認証印刷データ）をＭＦＰ１０１に送信する。
【００１６】
図２は、図１におけるＭＦＰ１０１の構成を概略的に示すブロック図である。
【００１７】
図２において、ＭＦＰ１０１は、ＭＦＰ制御部２０１、スキャナ部２０９、プリンタ部２１０（処理実行手段）、操作表示部２１１、人感センサ２１４、節電ボタン２１５、及び電源制御部２１６を備える。ＭＦＰ制御部２０１は、スキャナ部２０９、プリンタ部２１０、操作表示部２１１、人感センサ２１４、節電ボタン２１５、及び電源制御部２１６と夫々接続されている。電源制御部２１６は、ＭＦＰ制御部２０１の他に、スキャナ部２０９、プリンタ部２１０、及び操作表示部２１１と夫々接続されている。ＭＦＰ制御部２０１は、制御部２０２、ユーザ認証部２０６、ＨＤＤ２０７、及び外部Ｉ／Ｆ２０８を備え、制御部２０２は、ユーザ認証部２０６、ＨＤＤ２０７、及び外部Ｉ／Ｆ２０８と夫々接続されている。制御部２０２は、ＣＰＵ２０３、ＲＯＭ２０４、及びＲＡＭ２０５を備え、操作表示部２１１はタッチパネル２１２及び操作キー２１３を備える。
【００１８】
ＭＦＰ制御部２０１は、ＭＦＰ１０１全体を統括的に制御する。制御部２０２は、ユーザ認証部２０６、ＨＤＤ２０７、及び外部Ｉ／Ｆ２０８を夫々制御する。ＣＰＵ２０３は、ＲＯＭ２０４に格納された各種プログラムを実行して各種制御を行う。ＲＯＭ２０４はＣＰＵ２０３で用いられる各種プログラムや各種データを格納する。ＲＡＭ２０５はＣＰＵ２０３の一時作業領域として用いられ、また、ＲＡＭ２０５は各種データの一時格納領域として用いられる。ユーザ認証部２０６は、ユーザが所持するＩＤカード等から当該ユーザのユーザ特定情報を取得し、取得されたユーザ特定情報に基づいてユーザ認証を行う。ＨＤＤ２０７は各種データを格納する。本実施の形態では、ＨＤＤ２０７は、クライアントＰＣ１０２から取得された実行データや、許可ユーザを特定する許可ユーザ情報を格納する。外部Ｉ／Ｆ２０８はネットワーク１０３を介して接続されたクライアントＰＣ１０２等とデータ通信を行う。本実施の形態では、外部Ｉ／Ｆ２０８は、認証プリントデータを含む各種印刷データをクライアントＰＣ１０２から取得する。スキャナ部２０９は、図示しない原稿台に配置された原稿を読み取って画像データを生成し、生成された画像データを制御部２０２に送信する。プリンタ部２１０は、スキャナ部２０９によって生成された画像データや外部Ｉ／Ｆ２０８によって取得された印刷データに基づいて印刷処理を行う。
【００１９】
操作表示部２１１は、ＬＣＤのタッチパネル２１２に図示しない各種操作ボタンやＭＦＰ１０１で実行される各種処理に関連する情報を表示する。例えば、操作表示部２１１は、人感センサ２１４の感度等を設定する図３（ａ）の感度設定メニュー３００を表示する。感度設定メニュー３００は、Ｎｅａｒボタン３０１、Ｎｏｒｍａｌボタン３０２、及びＦａｒボタン３０３を含む。Ｎｅａｒボタン３０１、Ｎｏｒｍａｌボタン３０２、及びＦａｒボタン３０３は、人感センサ２１４の感度、つまり、ユーザの接近を検知する検知可能範囲を設定するための操作ボタンである。Ｎｅａｒボタン３０１は検知可能範囲を狭く設定し、Ｆａｒボタン３０３は検知可能範囲を広く設定する。Ｎｏｒｍａｌボタン３０２は検知可能範囲をＮｅａｒボタン３０１及びＦａｒボタン３０３の中間の検知範囲に設定する。本実施の形態では、Ｎｅａｒボタン３０１及びＮｏｒｍａｌボタン３０２が設定された場合、認証プリントデータの取得に応じて検知可能範囲を変更する自動変更機能に関する設定を行う設定メニュー３０４が操作表示部２１１に表示される。設定メニュー３０４は設定欄３０５，３０６を含む。設定欄３０５は上記自動変更機能の有効及び無効のいずれかを設定し、設定欄３０６は、上記自動変更機能によって変更された検知可能範囲の維持期間を設定する。ユーザが設定欄３０６を選択すると、図３（ｂ）に示す維持期間設定メニュー３０７が操作表示部２１１に表示され、ユーザは維持期間設定メニュー３０７によって上記維持期間を設定可能である。
【００２０】
人感センサ２１４は、操作表示部２１１で設定された検知可能範囲に基づいてユーザを検知し、ユーザを検知すると、検知した結果を制御部２０２に送信する。節電ボタン２１５は、ＭＦＰ１０１に設けられる必要最小限の構成要素にのみ通電を行う節電モードへの移行や、当該節電モードから各種処理の実行に備えたアイドルモードへの移行を指示する操作ボタンである。本実施の形態では、少なくとも制御部２０２、人感センサ２１４、及び節電ボタン２１５は、後述する図４に示すいずれの電力モードであっても、常時通電されている。電源制御部２１６は、ＭＦＰ１０１に設けられる構成要素のうち、ユーザ認証部２０６、スキャナ部２０９、プリンタ部２１０、及び操作表示部２１１への通電を制御する。以下、ユーザ認証部２０６、スキャナ部２０９、プリンタ部２１０、及び操作表示部２１１を含めて電源制御部２１６の被通電部と定義する。ＭＦＰ１０１は、電源制御部２１６の制御により、少なくとも図４に示す、アイドルモード、第１の節電モード、及び第２の節電モードのうちいずれか１つの電力モードに移行可能である。
【００２１】
第２の節電モードでは、電源制御部２１６は当該電源制御部２１６の被通電部への通電を中止する。ＭＦＰ１０１は、例えば、認証プリントデータを受信してから、後述する図７（ａ）の環境設定メニュー７００で予め設定された通電期間が経過しても認証プリントデータに基づく印刷処理の実行の指示を受け付けない場合、第２の節電モードに移行する。ＭＦＰ１０１は、第２の節電モードに移行すると、電源制御部２１６の被通電部を用いた処理を実行することができず、当該処理を実行するためには、電源制御部２１６の被通電部のうち当該処理に用いられる被通電部への通電を行う復帰処理を行う必要がある。第１の節電モードでは、電源制御部２１６は当該電源制御部２１６の被通電部のうちプリンタ部２１０のみに通電を行う。ＭＦＰ１０１は、例えば、第２の節電モード中に通常印刷データを受信した場合、第１の節電モードに移行する。ＭＦＰ１０１は、第１の節電モードに移行すると、プリンタ部２１０を用いた処理のみを実行可能である。アイドルモードでは、電源制御部２１６は当該電源制御部２１６の被通電部に通電を行う。ＭＦＰ１０１は、例えば、第２の節電モード中に人感センサ２１４によってユーザが検知された場合に復帰処理を行ってアイドルモードに移行する。ＭＦＰ１０１は、アイドルモードに移行すると、ユーザ認証部２０６、スキャナ部２０９、プリンタ部２１０、及び操作表示部２１１を用いた各種処理を即座に実行可能である。
【００２２】
図５は、図１におけるＭＦＰ１０１で実行される検知可能範囲の変更処理の手順を示すフローチャートである。
【００２３】
図５の処理は、ＣＰＵ２０３がＲＯＭ２０４に格納された各種プログラムを実行することによって行われる。図５の処理は、検知可能範囲が狭い「Ｎｅａｒ」が設定され、ＭＦＰ１０１の電力モードが第２の節電モードに移行した場合を前提とする。
【００２４】
通常、ＭＦＰ１０１を利用しない他のユーザが当該ＭＦＰ１０１の側を通るだけでも復帰処理が開始される虞があることから、不要な復帰処理を避けるために、検知可能範囲が狭い「Ｎｅａｒ」が設定される。ＭＦＰ１０１において検知可能範囲が狭い「Ｎｅａｒ」が設定された場合、ＭＦＰ１０１に近づくユーザが許可ユーザであってもＭＦＰ１０１の直近まで近付かないと、人感センサ２１４の検知に起因する復帰処理が開始されない。その結果、復帰処理の開始が遅れ、印刷処理が開始されるまでの待機時間を削減することができない。
【００２５】
これに対応して、本実施の形態では、ユーザの実行の指示を必要とする実行データを取得した場合、検知可能範囲が「Ｎｅａｒ」よりも広い「Ｆａｒ」に変更される。
【００２６】
図５において、まず、ＣＰＵ２０３は、外部Ｉ／Ｆ２０８でクライアントＰＣ１０２から実行データを取得すると（ステップＳ５０１でＹＥＳ）、取得された実行データをＨＤＤ２０７に格納する。その後、ＣＰＵ２０３は取得された実行データが印刷データであるか否かを判別する（ステップＳ５０２）。
【００２７】
ステップ５０２の判別の結果、取得された実行データが印刷データでないとき、ＣＰＵ２０３は本処理を終了する。一方、ステップ５０２の判別の結果、取得された実行データが印刷データであるとき、ＣＰＵ２０３は、取得された実行データがユーザの実行の指示を必要とする実行データであるか否かを判別する（ステップＳ５０３）。ステップＳ５０３では、ＣＰＵ２０３は、取得された実行データが留め置き印刷を行う印刷データ、例えば、認証プリントデータである場合、取得された実行データがユーザの実行の指示を必要とする実行データであると判別する。一方、ＣＰＵ２０３は、取得された実行データが留め置き印刷を行う印刷データではなく、通常印刷データである場合、取得された実行データがユーザの実行の指示を必要とする実行データでないと判別する。
【００２８】
ステップＳ５０３の判別の結果、取得された実行データがユーザの実行の指示を必要とする実行データでないとき、ＣＰＵ２０３は、プリンタ部２１０への通電を指示する通電指示通知を電源制御部２１６に送信する（ステップＳ５０４）。通電指示通知を受信した電源制御部２１６は、プリンタ部２１０への電力の供給を開始して復帰処理を行う。これにより、ＭＦＰ１０１は、第２の節電モードから第１の節電モードに移行し、プリンタ部２１０による印刷処理の実行が可能となる。次いで、ＣＰＵ２０３は、取得された通常印刷データに基づく印刷処理を実行し（ステップＳ５０５）、取得された通常印刷データに基づく全ての印刷処理が完了したか否かを判別する（ステップＳ５０６）。
【００２９】
ステップＳ５０６の判別の結果、取得された通常印刷データに基づく印刷処理が完了しないとき、ＣＰＵ２０３はステップＳ５０５の処理に戻る。一方、ステップＳ５０６の判別の結果、取得された通常印刷データに基づく印刷処理が完了したとき、ＣＰＵ２０３は本処理を終了する。
【００３０】
ステップＳ５０３の判別の結果、取得された実行データがユーザの実行の指示を必要とする実行データであるとき、ＣＰＵ２０３は、設定メニュー３０４において、自動変更機能が有効に設定されているか否かを判別する（ステップＳ５０７）。
【００３１】
ステップＳ５０７の判別の結果、自動変更機能が有効に設定されているとき、ＣＰＵ２０３は、設定された検知可能範囲を「Ｎｅａｒ」から「Ｆａｒ」に変更する（ステップＳ５０８）。次いで、ＣＰＵ２０３は、維持期間設定メニュー３０７において、自動変更機能によって変更された検知可能範囲の維持期間が設定されているか否かを判別する（ステップＳ５０９）。
【００３２】
ステップＳ５０９の判別の結果、上記維持期間が設定されているとき、ＣＰＵ２０３は検知可能範囲が「Ｆａｒ」に変更されてからの経過時間の計測を開始する。その後、ＣＰＵ２０３は、検知可能範囲が「Ｆａｒ」に変更されてから上記維持期間が経過すると（ステップＳ５１０でＹＥＳ）、検知可能範囲を「Ｆａｒ」から元の「Ｎｅａｒ」に変更し（ステップＳ５１１）、本処理を終了する。また、ＣＰＵ２０３は、ステップＳ５１０以降の処理に並行して後述する図６のユーザ検知処理を実行し（ステップＳ５１２）、人感センサ２１４によってユーザを検知すると、ＭＦＰ１０１の電力モードを第２の節電モードからアイドルモードに移行させる。次いで、ＣＰＵ２０３はステップＳ５１２の処理を実行した後に本処理を終了する。
【００３３】
図６は、図５におけるステップＳ５１２のユーザ検知処理の手順を示すフローチャートである。
【００３４】
図６において、まず、ＣＰＵ２０３は、人感センサ２１４によってユーザを検知すると（ステップＳ６０１でＹＥＳ）、電源制御部２１６の被通電部へ通電を行うための通電指示通知を電源制御部２１６に送信する（ステップＳ６０２）。当該通電指示通知を受信した電源制御部２１６は、ユーザ認証部２０６、スキャナ部２０９、プリンタ部２１０、及び操作表示部２１１への電力の供給を開始して（電力供給開始手段）復帰処理を行う。これにより、ＭＦＰ１０１の電力モードは第２の節電モードからアイドルモードに移行する。次いで、ＣＰＵ２０３は、ユーザがＭＦＰ１０１へログインするためのログイン画面を操作表示部２１１に表示し（ステップＳ６０３）、ログイン画面を表示してからの経過時間の計測を開始する（ステップＳ６０４）。次いで、ＣＰＵ２０３は、ログイン画面を表示してから予め設定された通電期間が経過したか否かを判別する（ステップＳ６０５）。通電期間は電源制御部２１６の被通電部へ通電を行う期間である。ログイン画面を表示してから通電期間が経過すると、ＭＦＰ１０１では電源制御部２１６の被通電部への通電が中止され、ＭＦＰ１０１の電力モードはアイドルモードから第２の節電モードに移行する。通電期間はユーザが図７（ａ）の環境設定メニュー７００によって予め設定可能である。環境設定メニュー７００は設定欄７０１を含み、ユーザが設定欄７０１を選択すると、図７（ｂ）の通電期間設定メニュー７０２が操作表示部２１１に表示され、ユーザは通電期間設定メニュー７０２によって通電期間の具体値を設定可能である。
【００３５】
ステップＳ６０５の判別の結果、ログイン画面を表示してから通電期間が経過していないとき、ＣＰＵ２０３は、ユーザ認証部２０６にＩＤカードがかざされたか否かを判別する（ステップＳ６０６）。
【００３６】
ステップＳ６０６の判別の結果、ユーザ認証部２０６にＩＤカードがかざされないとき、ＣＰＵ２０３はステップＳ６０４の処理に戻る。一方、ステップＳ６０６の判別の結果、ユーザ認証部２０６にＩＤカードがかざされたとき、ＣＰＵ２０３は、ＩＤカードからユーザ特定情報を取得し、取得されたユーザ特定情報に基づいてユーザ認証部２０６によるユーザ認証を行う。その後、ＣＰＵ２０３はユーザ認証部２０６によるユーザ認証が成功したか否かを判別する（ステップＳ６０７）。ステップＳ６０７では、ＩＤカードに含まれるユーザ特定情報とＨＤＤ２０７に予め格納された許可ユーザを示す許可ユーザ情報とが対応、例えば、一致した場合、ＣＰＵ２０３はユーザ認証が成功したと判別する。一方、ＩＤカードに含まれるユーザ特定情報とＨＤＤ２０７に予め格納された許可ユーザ情報とが一致しない場合、ＣＰＵ２０３はユーザ認証が失敗したと判別する。
【００３７】
ステップＳ６０７の判別の結果、ユーザ認証が失敗したとき、ＣＰＵ２０３は当該ユーザ認証が失敗した旨を操作表示部２１１に表示してステップＳ６０３の処理に戻る。一方、ステップＳ６０７の判別の結果、ユーザ認証が成功したとき、ＣＰＵ２０３はＨＤＤ２０７に格納された認証プリントデータを取得する（ステップＳ６０８）。次いで、ＣＰＵ２０３は取得された認証プリントデータに基づく印刷処理の実行を指示する図８の認証プリント実行メニュー８００を操作表示部２１１に表示する（ステップＳ６０９）。認証プリント実行メニュー８００には取得された認証プリントデータを示すデータ名８０１，８０２、及び認証プリントデータに基づく印刷処理の実行を指示する印刷開始ボタン８０３が表示される。ユーザが認証プリント実行メニュー８００に表示された複数のデータ名８０１，８０２のうち或るデータ名、例えば、データ名８０１を選択して印刷開始ボタン８０３を選択すると、選択されたデータ名８０１の認証プリントデータに基づく印刷処理が開始される。ＣＰＵ２０３は、認証プリント実行メニュー８００において印刷開始ボタン８０３が選択されると（ステップＳ６１０でＹＥＳ）、検知可能範囲を「Ｆａｒ」から元の「Ｎｅａｒ」に変更する（ステップＳ６１１）。次いで、ＣＰＵ２０３は、取得された認証プリントデータに基づく印刷処理を実行し（ステップＳ６１２）、当該認証プリントデータに基づく印刷処理が完了したか否かを判別する（ステップＳ６１３）。
【００３８】
ステップＳ６１３の判別の結果、認証プリントデータに基づく印刷処理が完了しないとき、ＣＰＵ２０３はステップＳ６１２の処理に戻る。一方、ステップＳ６１３の判別の結果、認証プリントデータに基づく印刷処理が完了したとき、ＣＰＵ２０３は、後述する図９の節電モード移行処理を行う（ステップＳ６１４）。ステップＳ６１４において、ＣＰＵ２０３は、電源制御部２１６の被通電部への通電を中止する通電中止通知を電源制御部２１６に送信する。その後、ＣＰＵ２０３は、ステップＳ６１４の処理を実行した後に本処理を終了する。
【００３９】
ステップＳ６０５の判別の結果、ログイン画面を表示してから通電期間が経過したとき、ＣＰＵ２０３は、ステップＳ６１４以降の処理を行う。
【００４０】
図９は、図６におけるステップＳ６１４の節電モード移行処理の手順を示すフローチャートである。
【００４１】
図９において、まず、ＣＰＵ２０３は、電源制御部２１６の被通電部のうち、通電を中止する際に実行される終了処理、例えば、高温となった部品を冷やす処理等の実行を必要とする被通電部に通電を中止する旨を通知する。具体的に、ＣＰＵ２０３は、スキャナ部２０９に通電を中止する旨を通知し（ステップＳ９０１）、プリンタ部２１０に通電を中止する旨を通知する（ステップＳ９０２）。その後、スキャナ部２０９及びプリンタ部２１０は終了処理を実行し、当該終了処理が完了すると、スキャナ部２０９及びプリンタ部２１０は終了処理を完了した旨を示す完了通知をＣＰＵ２０３に夫々送信する。次いで、ＣＰＵ２０３は、スキャナ部２０９及びプリンタ部２１０の各々から完了通知を受信すると（ステップＳ９０３でＹＥＳ）、電源制御部２１６の被通電部への通電を中止する通電中止通知を電源制御部２１６に送信する（ステップＳ９０４）。通電中止通知を受信した電源制御部２１６は、ユーザ認証部２０６、スキャナ部２０９、プリンタ部２１０、及び操作表示部２１１への通電を中止する。これにより、ＭＦＰ１０１の電力モードはアイドルモードから第２の節電モードに移行する。その後、ＣＰＵ２０３はステップＳ９０４の処理を実行した後に本処理を終了する。
【００４２】
上述した図５、図６、及び図９の処理によれば、例えば、認証プリントデータを取得した場合、ユーザの接近を検知する検知可能範囲が「Ｎｅａｒ」よりも広い「Ｆａｒ」に変更される。これにより、認証プリントデータを取得した場合、ユーザが図１０（ａ）に示すように「Ｎｅａｒ」の検知範囲まで近付かなくても、プリンタ部２１０への電力の供給が開始される。すなわち、「Ｎｅａｒ」が設定されている場合よりも図１０（ｂ）に示すように早期にプリンタ部２１０への電力の供給を開始することができ、もって、印刷処理が開始されるまでの待機時間を削減することができる。
【００４３】
また、上述した図５、図６、及び図９の処理では、「Ｎｅａｒ」を「Ｆａｒ」に変更した後に、印刷開始ボタン８０３が選択されると、「Ｆａｒ」が元の「Ｎｅａｒ」に変更される。また、検知可能範囲が「Ｆａｒ」に変更されてから、維持期間設定メニュー３０７において設定された維持期間が経過すると、「Ｆａｒ」が元の「Ｎｅａｒ」に変更される。その結果、「Ｆａｒ」の設定が必要以上に維持されることにより、ＭＦＰ１０１を利用しない他のユーザの接近が検知されてプリンタ部２１０へ不要な電力の供給が開始される可能性を低減することができる。
【００４４】
以上、本発明について実施の形態を用いて説明したが、本発明は上述した実施の形態に限定されるものではない。
【００４５】
例えば、検知可能範囲が「Ｆａｒ」に変更されてから、予め設定された維持期間が経過するまでに、他の認証プリントデータを取得した場合、他の認証プリントデータを取得してから上記維持期間が経過するまで検知可能範囲を「Ｆａｒ」から元の「Ｎｅａｒ」に変更しなくてもよい。これにより、他の認証プリントデータに基づく印刷処理が実行される前に「Ｆａｒ」が元の「Ｎｅａｒ」に変更され、ユーザが「Ｎｅａｒ」の検知範囲まで近付かないとプリンタ部２１０への電力の供給が開始されなくなる可能性を低減することができる。
【００４６】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００４７】
１０１  ＭＦＰ
２０３  ＣＰＵ
２０８  外部Ｉ／Ｆ
２１４  人感センサ
２１６  電源制御部
【図１】
2017071119.tif 000003
【図２】
2017071119.tif 000004
【図３】
2017071119.tif 000005
【図４】
2017071119.tif 000006
【図５】
2017071119.tif 000007
【図６】
2017071119.tif 000008
【図７】
2017071119.tif 000009
【図８】
2017071119.tif 000010
【図９】
2017071119.tif 000011
【図１０】
2017071119.tif 000012